(57)【要約】      （修正有）【課題】幅方向の長さと奥行き方向の長さとが異なるシンクは、カウンターを右勝手及び左勝手の各々に対応させるために、最低２つの金型を製造する必要があり、初期投資が高くなったり、金型の在庫管理が煩雑化したりする。カウンターの右勝手と左勝手とで金型が共通化された凹状体を提供する。【解決手段】シンク１０は、下方に凹み、平面視にて４つ以上の角部２６、２８、３０、３２を有する正多角形状となる凹部２０と、前記凹部の一の前記角部に設けられた、水栓を設置するための水栓設置部３４と、を備える。【選択図】図３
2020147929.tif 000002
【特許請求の範囲】
【請求項１】
下方に凹み、平面視にて４つ以上の角部を有する正多角形状となる凹部と、
前記凹部の一の前記角部に設けられた、水栓を設置するための水栓設置部と、
を備える凹状体。
【請求項２】
前記水栓設置部が設けられた前記角部と、前記凹部の中心点とを結んだ中心線上に、排水口が設けられた請求項１に記載の凹状体。
【請求項３】
前記角部の数は４以上の偶数であり、
前記凹部の少なくとも２組以上の対向する辺部の各々には、板状部材が載置可能となる載置部が設けられた請求項１又は２に記載の凹状体。
【請求項４】
４以上の偶数箇所の前記角部を有する請求項１から３の何れか１項に記載の凹状体と、
前記凹状体が固定される平面視にて長方形状となるカウンター板と、
前記カウンター板の長手方向における一端側に設けられ、前記凹部の開口である凹部開口に対応して形成されたカウンター板開口と、
少なくとも交差する二方向において、前記凹部開口又は前記カウンター板開口を掛け渡すように載置可能な板状部材と、
を備え、
前記凹状体は、前記カウンター板の長手方向における前記一端側に前記水栓設置部が設けられたカウンター。
【発明の詳細な説明】
【技術分野】
【０００１】
本発明は、凹状体及びカウンターに関する。
【背景技術】
【０００２】
従来、幅方向の長さと奥行き方向の長さとが異なるシンクが提供されている（特許文献１の図１参照）。
【先行技術文献】
【特許文献】
【０００３】
【特許文献１】特開２０１８−１２９４７号公報
【発明の概要】
【発明が解決しようとする課題】
【０００４】
特許文献１のような幅方向の長さと奥行き方向の長さとが異なるシンクは、カウンターを右勝手及び左勝手の各々に対応させるために、最低２つの金型を製造する必要があり、初期投資が高くなったり、金型の在庫管理が煩雑化したりする。
【０００５】
そこで、本発明は、カウンターの右勝手と左勝手とで金型が共通化された凹状体の提供を目的とする。
【課題を解決するための手段】
【０００６】
第１の態様の凹状体は、下方に凹み、平面視にて４つ以上の角部を有する正多角形状となる凹部と、前記凹部の一の前記角部に設けられた、水栓を設置するための水栓設置部と、を備える。
【０００７】
第２の態様の凹状体は、第１の態様の凹状体であって、前記水栓設置部が設けられた前記角部と、前記凹部の中心点とを結んだ中心線上に、排水口が設けられた。
【０００８】
第３の態様の凹状体は、第１又は第２の態様の凹状体であって、前記角部の数は４以上の偶数であり、前記凹部の少なくとも２組以上の対向する辺部の各々には、板状部材が載置可能となる載置部が設けられた。
【０００９】
第４の態様のカウンターは、４以上の偶数箇所の前記角部を有する請求項１から３の何れか１項に記載の凹状体と、前記凹状体が固定される平面視にて長方形状となるカウンター板と、前記カウンター板の長手方向における一端側に設けられ、前記凹部の開口である凹部開口に対応して形成されたカウンター板開口と、少なくとも交差する二方向において、前記凹部開口又は前記カウンター板開口を掛け渡すように載置可能な板状部材と、を備え、前記凹状体は、前記カウンター板の長手方向における前記一端側に前記水栓設置部が設けられた。
【発明の効果】
【００１０】
本発明によれば、カウンターの右勝手と左勝手とで金型が共通化された凹状体を提供できる。
【図面の簡単な説明】
【００１１】
【図１】第１の実施形態における左勝手のカウンターの平面図である。
【図２】第１の実施形態における左勝手のカウンターの平面図である。
【図３】第１の実施形態におけるシンクの平面図である。
【図４】図３のＡ−Ａ断面図である。
【図５】第１の実施形態における右勝手のカウンターの平面図である。
【図６】第１の実施形態における右勝手のカウンターの平面図である。
【図７】第２の実施形態におけるシンクの平面図である。
【図８】本実施の形態におけるシンクのバリエーションを示す平面図である。
【発明を実施するための形態】
【００１２】
（第１の実施形態）
以下、図面を用いて第１の実施形態におけるカウンター８０について説明する。第１の実施形態では、カウンター８０を基準とする方向を用いて説明する。まず、図１に示すＸ方向が幅方向であり、その左側を左方とし、その反対側を右方とする。また、図１に示すＹ方向が奥行き方向であり、その手前側を前方とし、その反対側を後方とする。さらに、図１に示すＺ方向が高さ方向であり、その上側を上方とし、その反対側を下方とする。
【００１３】
図１及び図２に示すカウンター８０は、ユーザがカウンター８０の前方に立っていると仮定した場合、ユーザから見て左方にシンク１０が設置され、ユーザから見て右方にコンロ５５が設置された左勝手のカウンター８０である。
図１及び図２に示すように、カウンター８０は、シンク１０と、シンク１０が固定されるカウンター板８２と、コンロ５５と、水切りプレートやまな板等の板状部材７０と、を備えている。
【００１４】
図３は、第１の実施形態におけるシンク１０の平面図であり、図４は、図３のＡ−Ａ断面図である。
図３及び図４に示すように、シンク１０は、下方に凹み、平面視にて正多角形状、具体的には、略正方形状となる凹部２０を備えている。この正多角形状は、全ての辺の長さが等しいことが望ましいが、設計上の公差や製造上の誤差は許容される。なお、カウンター８０の右勝手と左勝手とにシンク１０の金型を共通化できる範囲であれば、前記全ての辺の長さを必ずしも等しくする必要はない。
【００１５】
凹部２０は、底面部２２と、底面部２２から上方に延びる辺部の一例としての周壁部２４と、を備えている。また、凹部２０には、４つの角部２６、２８、３０、３２が設けられている。角部２６、２８、３０、３２とは、凹部２０における隣り合う辺部同士を接続する屈曲部分である。この角部２６、２８、３０、３２は、その角が丸められていてもよいし、その角が面取りされていてもよい。
【００１６】
そして、凹部２０は、図示しない水栓を設置するための水栓設置部３４が角部２６に設けられている。この水栓設置部３４は、図３に示すように、平面視にて角部２６を頂部とする略三角形状に形成されている。また、水栓設置部３４は、平面視にて円形の水栓用孔３６が後述する対角線Ｌ１上に形成されており、この水栓用孔３６に水栓が設置される。
【００１７】
また、凹部２０は、その上端から外側に水平に突出するフランジ部３８を備えている。
【００１８】
さらに、平面視において、凹部２０は、底面部２２における、角部２６と、角部２６の対角に位置する角部３０とを結んだ対角線Ｌ１上に排水口４０が設けられている。この排水口４０は、対角線Ｌ１と、角部２８と角部３２とを結んだ対角線Ｌ２との交点、すなわち、凹部２０の中心点Ｗよりも水栓設置部３４側に設けられている。換言すると、排水口４０は、角部２６と、中心点Ｗとを結んだ中心線（対角線Ｌ１）上に設けられている、といえる。
【００１９】
排水口４０は、図４に示すように、下方に向かうにつれ内寸が細くなるテーパ形状に形成された排水凹部４２を備えている。この排水凹部４２の底面の一部には、孔部４４が形成されている。この孔部４４は、シンク１０の設置時に穿孔されて図示しない排水管が接続される。また、図４に示すように、底面部２２には、排水口４０に向かって下り傾斜する勾配が設けられている。
【００２０】
図３及び図４に示すように、排水口４０の上には、排水凹部４２の開口の一部を塞ぐ蓋部５０が設置されている。この蓋部５０は、その寸法が排水凹部４２の開口の寸法よりもやや小さく、その形状が平面視にて略長方形状（図３参照）とされている。
【００２１】
図１及び図２に示すように、カウンター板８２は、平面視にて幅方向が長手、奥行き方向が短手となる長方形状に形成されている。このカウンター板８２の長手方向における左端側には、凹部２０の開口である凹部開口２１に対応して開口された平面視にて略正方形状となるカウンター板開口８４が形成されている。
シンク１０は、フランジ部３８（図３参照）がカウンター板開口８４の周辺に位置するように、図示しない接着剤を用いてカウンター板８２の下面に貼り付けられている。
【００２２】
板状部材７０は、平面視にて略長方形状の平板部７２と、平板部７２の長手方向の両端部に設けられ、カウンター板８２上に引っ掛け可能な引っ掛け部７４と、を備えている。この板状部材７０は、奥行き方向及び幅方向において、カウンター板開口８４を掛け渡すように載置可能である。そして、板状部材７０がカウンター板開口８４を掛け渡した状態では、平板部７２の上面とカウンター板８２の上面とが略面一となっている。
【００２３】
また、カウンター８０に設置されたシンク１０は、カウンター板８２の長手方向（幅方向）における左端側に水栓設置部３４が設けられている。
【００２４】
上記のように、シンク１０は、４つの角部２６、２８、３０、３２を有する平面視にて略正方形状の凹部２０と、角部２６に設けられた水栓設置部３４とを備えている。そのため、第１の実施形態は、１つの金型から成形されたシンク１０を設置対象のカウンター８０に合わせて回転させて設置することで、カウンター８０の右勝手と左勝手とに対応できる。
【００２５】
図５及び図６に示すカウンター８０は、ユーザがカウンター８０の前方に立っていると仮定した場合、ユーザから見て左方にコンロ５５が設置され、ユーザから見て右方にシンク１０が設置された右勝手のカウンター８０である。
【００２６】
第１の実施形態は、図１及び図２に示す左勝手のカウンター８０に設置されたシンク１０を時計回りに９０度回転させることで、図５及び図６に示す右勝手のカウンター８０のシンク１０として設置することができる。また、第１の実施形態は、図５及び図６に示す右勝手のカウンター８０に設置されたシンク１０を反時計回りに９０度回転させることで、図１及び図２に示す左勝手のカウンター８０のシンク１０として設置することができる。
【００２７】
上記の構成により、第１の実施形態によれば、１つの金型から成形されたシンク１０でカウンター８０の右勝手と左勝手とに対応できるため、右勝手と左勝手とでシンク１０の金型を共通化することができる。
【００２８】
上記のように、シンク１０は、水栓設置部３４が角部２６に設けられている。
具体的には、図１及び図２に示す左勝手のカウンター８０に設置されたシンク１０は、シンク１０の後方かつカウンター板８２の長手方向（幅方向）における左端側に水栓設置部３４が設けられている。そのため、このシンク１０は、水栓設置部３４の右方や前方にスペースが取れ、その空いたスペースに板状部材７０を載置できる。
【００２９】
また、図５及び図６に示す右勝手のカウンター８０に設置されたシンク１０は、シンク１０の後方かつカウンター板８２の長手方向（幅方向）における右端側に水栓設置部３４が設けられている。そのため、このシンク１０は、水栓設置部３４の左方や前方にスペースが取れ、その空いたスペースに板状部材７０を載置できる。
【００３０】
水栓設置部３４をシンク１０の後方かつ幅方向中央に設置した場合は、水栓設置部３４の左右のスペースが狭くなり、板状部材７０を載置できないことが想定される。
これに対し、第１の実施形態によれば、水栓設置部３４が角部２６に設けられていることで、シンク１０の後方かつ幅方向中央に水栓設置部３４を設置した場合に比べて、板状部材７０を載置するためのスペースを広く確保できる。
【００３１】
そして、図１及び図５に示すように、板状部材７０が奥行き方向に掛け渡された場合は、平板部７２の上面とカウンター板８２の上面とを略面一で連続させることができ、カウンター８０上のスペースをより広く確保できる。
【００３２】
図３に示すように、シンク１０は、底面部２２における、角部２６と角部３０とを結んだ対角線Ｌ１上に排水口４０が設けられている。そして、図４に示すように、底面部２２には、排水口４０に向かって下り傾斜する勾配が設けられている。
上記の構成により、第１の実施形態は、底面部２２における排水のための勾配を対角線Ｌ１に対して均等化することができる。そのため、第１の実施形態によれば、排水口４０が対角線Ｌ１上からずれて設置された構成に比べて、シンク１０の前方に立っているユーザに対して整った印象を与えることができ、シンク１０の意匠性を高めることができる。
【００３３】
図３に示すように、シンク１０は、排水口４０が凹部２０の中心点Ｗよりも水栓設置部３４側に設けられている。つまり、このシンク１０は、排水口４０がシンク１０の後方側（奥側）に設けられている。換言すると、このシンク１０は、排水口４０がシンク１０の前方に立つユーザから遠い位置に設けられている。
上記の構成により、第１の実施形態によれば、排水口４０をユーザの目に触れにくくすることができる。
【００３４】
図１に示す左勝手のカウンター８０及び図５に示す右勝手のカウンター８０は、引っ掛け部７４がカウンター板８２上に載置されている。これにより、上記のカウンター８０では、板状部材７０がカウンター板開口８４を奥行き方向に掛け渡している。また、図２に示す左勝手のカウンター８０及び図６に示す右勝手のカウンター８０では、板状部材７０がカウンター板開口８４を幅方向に掛け渡している。
上記の構成により、第１の実施形態は、１つの板状部材７０を奥行き方向及び幅方向でカウンター板開口８４に掛け渡すようにカウンター板８２上に載置できる。
【００３５】
（第２の実施形態）
次に、第２の実施形態について、第１の実施形態との重複部分を省略又は簡略化しつつ説明する。
【００３６】
図７（Ａ）及び（Ｂ）は、第２の実施形態におけるシンク１０の平面図である。図７（Ａ）及び（Ｂ）に示すように、第２の実施形態におけるシンク１０は、対向する周壁部２４の各々に、板状部材７０が載置可能となる載置部６０が設けられている。この載置部６０は、シンク１０において、周壁部２４から外側に延びた後、上方に延びてフランジ部３８に接続される段差部分である。なお、第２の実施形態における板状部材７０の引っ掛け部７４は、載置部６０に引っ掛け可能とされている。
【００３７】
図７（Ａ）に示すシンク１０は、奥行き方向において対向する載置部６０に引っ掛け部７４が載置されている。これにより、図７（Ａ）に示すシンク１０では、板状部材７０が凹部開口２１を奥行き方向に掛け渡している。また、図７（Ｂ）に示すシンク１０は、幅方向において対向する載置部６０に引っ掛け部７４が載置されている。これにより、図７（Ｂ）に示すシンク１０では、板状部材７０が凹部開口２１を幅方向に掛け渡している。
【００３８】
第２の実施形態におけるシンク１０は、凹部２０が平面視にて略正方形状に形成され、対向する周壁部２４の各々に載置部６０が設けられているため、１つの板状部材７０を奥行き方向及び幅方向で凹部開口２１に掛け渡すことができる。
【００３９】
（その他）
上記の実施形態では、水栓を設置するための水栓用孔３６を、水栓設置部３４における対角線Ｌ１上に形成したが、水栓用孔３６が形成される水栓設置部３４上の位置は特に限定されない。つまり、水栓における蛇口やレバーの形状に合わせて、水栓設置部３４上の任意の位置に水栓用孔３６を形成してもよい。また、水栓用孔３６は、シンク１０成形後の後加工で形成される場合が多いため、この後加工の場合には水栓設置部３４における対角線Ｌ１上に必ずしも形成する必要はない。さらに、水栓用孔３６は、水栓を２本設置する場合には水栓設置部３４における対角線Ｌ１上に必ずしも形成する必要はない。
【００４０】
上記の実施形態では、排水口４０を、底面部２２における対角線Ｌ１上に設けたが、対角線Ｌ１上に設けられれば、排水口４０の中心が対角線Ｌ１上に位置しなくともよい。
【００４１】
上記の実施形態では、排水口４０は、凹部２０の中心点Ｗよりも水栓設置部３４側に設けられているとした。しかし、これに限らず、排水口４０は、図８に示すように、中心点Ｗよりも水栓設置部３４から離れる側に設けられてもよい。排水口４０に向けて水栓から直接吐水する場合、汚水が跳ね上がることが稀にある。そのため、設置する水栓が予め決まっている場合は、水栓から直接吐水しにくい位置に排水口４０を設けてもよい。
【００４２】
上記の実施形態では、蓋部５０の形状を平面視にて略長方形状に形成した。しかし、蓋部５０の形状は限定されず、例えば、平面視にて円形状や菱形形状に形成してもよい。
【００４３】
上記の実施形態では、水栓設置部３４の形状が平面視にて略三角形状となると説明したが、水栓設置部３４の形状は限定されない。例えば、平面視にて略扇型形状となるよう形成してもよいし、平面視にて角部２６側に向かって凸となる曲面を有する形状に形成してもよい。
【００４４】
上記の実施形態では、平面視にて正多角形状となる凹部２０の具体例として、平面視にて略正方形状となる場合を説明したが、平面視にて４つ以上の角部２６、２８、３０、３２を有する正多角形状となれば、これには限定されない。例えば、凹部２０は、平面視にて正五角形状、正六角形状、正七角形状、正八角形状となるよう形成してもよい。
【００４５】
上記の実施形態では、対向する周壁部２４の各々に、板状部材７０が載置可能となる載置部６０を設けたが、少なくとも２組以上の対向する周壁部２４の各々に載置部６０が設けられていればよい。例えば、凹部２０を平面視にて正八角形状となるよう形成した場合には、４組の対向する周壁部２４が存在するが、このうち、少なくとも２組の対向する周壁部２４の各々に載置部６０が設けられていればよい。これにより、１つの板状部材７０を複数の方向で凹部開口２１に掛け渡すことができる。
【００４６】
上記の実施形態では、凹状体の一例をシンク１０として記載したが、これに限らず、凹状体の一例は洗面ボウルであってもよい。
【００４７】
上記の実施形態では、カウンター板８２の形状が平面視にて幅方向が長手、奥行き方向が短手となる長方形状となると説明したが、カウンター板８２の形状は限定されない。カウンター板８２の形状は、上記の実施形態のような所謂Ｉ型キッチンに対応した形状に限らず、例えば、所謂Ｌ型キッチンや所謂コの字型キッチンに対応した形状としてもよい。
【００４８】
上記の実施形態では、板状部材７０は、平板部７２と引っ掛け部７４とを備えたが、必ずしも引っ掛け部７４を備える必要はない。例えば、引っ掛け部７４を備えない場合は、第２の実施形態において、板状部材７０のうち、平板部７２の裏面を直接載置部６０に載置してよい。この場合は、平板部７２の厚みを任意の厚みにすることで、カウンター板８２の上面と略面一としてもよいし、敢えてカウンター板８２の上面よりも一段下げることで水じまいをよくしてもよい。
【符号の説明】
【００４９】
１０  シンク
２０  凹部
２６、２８、３０、３２  角部
３４  水栓設置部
４０  排水口
６０  載置部
７０  板状部材
８０  カウンター
８２  カウンター板
【図１】
2020147929.tif 000003
【図２】
2020147929.tif 000004
【図３】
2020147929.tif 000005
【図４】
2020147929.tif 000006
【図５】
2020147929.tif 000007
【図６】
2020147929.tif 000008
【図７】
2020147929.tif 000009
【図８】
2020147929.tif 000010